(57)【要約】【課題】比較的小型かつ簡素な構造であって、取り扱いやメンテナンスが容易であり、優れた分離機能を発揮する分離装置を提供する。【解決手段】分離装置１０は、円管状の搬送経路１１内を一定方向に流動する気体（空気流１２ａ）に伴って搬送される固形物１３を気体１２ａから分離する機能を有し、搬送経路１１内に配置された通気性を有する捕捉部材１４と、捕捉部材１４の上流側に搬送経路１１から分岐して設けられた捕集経路１５と、捕捉部材１４の下流側に搬送経路１１と連通して設けられた排気経路１６と、を備えている。鉛直方向に配管された搬送経路１１の下流側が９０度湾曲して水平状態となった領域に捕捉部材１４が配置され、捕捉部材１４の上流側から鉛直下方に向かって捕集経路１５が延設されている。【選択図】図１
0003168570.tif 000002
【実用新案登録請求の範囲】
【請求項１】
搬送経路内を一定方向に流動する気体に伴って搬送される固形物を前記気体から分離する装置であって、前記搬送経路内に配置された通気性を有する捕捉部材と、前記捕捉部材の上流側に前記搬送経路から分岐して設けられた捕集経路と、前記捕捉部材の下流側に前記搬送経路と連通して設けられた排気経路と、を備えたことを特徴とする分離装置。
【請求項２】
前記捕捉部材が、当該捕捉部材を通過する気体の流動方向に対して傾斜した面を有することを特徴とする請求項１記載の分離装置。
【請求項３】
前記捕捉部材として、スリット部材、多孔部材若しくは網状部材を用いたことを特徴とする請求項１または２記載の分離装置。
【考案の詳細な説明】
【技術分野】
【０００１】
本考案は、魚介類の養殖場において使用される餌搬送システムを構成する分離装置に関する。
【背景技術】
【０００２】
魚介類の養殖場において養魚用の餌を供給する装置として、例えば、特許文献１記載の養殖用餌搬送装置がある。この養殖用餌搬送装置は、養殖場を航行する搬送船に搭載して使用されるものであり、餌供給槽に貯留された餌を、空気吸引ポンプによって発生させた吸引力を利用して、吸引搬送管を通してホッパまで搬送した後、目的の箇所へ餌を供給する機能を有している。
【０００３】
また、特許文献１記載の養殖用餌搬送装置においては、吸引搬送管内を流動する空気流とともに搬送されてきた餌を、空気流から分離する手段として、サイクロン（餌一時貯留タンク）が使用されている。
【先行技術文献】
【特許文献】
【０００４】
【特許文献１】特開２００５−１１０５５４号公報
【考案の概要】
【考案が解決しようとする課題】
【０００５】
前述したように、特許文献１記載の養殖用餌搬送装置においては、吸引搬送管内を空気流とともに流動してきた餌を空気流から分離する手段としてサイクロン（餌一時貯留タンク）が使用されているため、容積が限られた搬送船において、このサイクロンが広いスペースを占有し、他の装置の設置スペースや船上での各種作業を阻害する要因の一つとなっている。また、サイクロンは高さ方向のサイズも大であるため、搬送船に設置した場合、搬送船の安定性を低下させることがある。
【０００６】
さらに、サイクロンを設けることにより、装置全体の構造が複雑化するので、取り扱いが煩雑化するだけでなく、メンテナンスにも手間を要する。
【０００７】
本考案が解決しようとする課題は、比較的小型かつ簡素な構造であって、取り扱いやメンテナンスが容易であり、優れた分離機能を発揮する分離装置を提供することにある。
【課題を解決するための手段】
【０００８】
本考案の分離装置は、搬送経路内を一定方向に流動する気体に伴って搬送される固形物を前記気体から分離する装置であって、前記搬送経路内に配置された通気性を有する捕捉部材と、前記捕捉部材の上流側に前記搬送経路から分岐して設けられた捕集経路と、前記濾過部材の下流側に前記搬送経路と連通して設けられた排気経路と、を備えたことを特徴とする。ここで、固形物とは、粒体、顆粒体、粉体、軟状体若しくはこれらの２種以上の混合物など、気体と識別可能な固体をいう。
【０００９】
このような構成とすれば、搬送経路内を流動してきた気体と固形物との混合体は捕捉部材に当接することにより、捕捉部材を通過する流動気体と、捕捉部材を通過できない固形物と、に分離され、捕捉部材を通過した気体は排気経路から下流側へ排出され、捕捉部材を通過できない固形物は捕集経路を経由して下流側へ移動するので、優れた分離機能を発揮する。また、通気性を有する捕捉部材を搬送経路内に配置し、捕捉部材の上流側に搬送経路から分岐した捕集経路を設け、捕捉部材の下流側に搬送経路と連通した排気経路を設けるだけで構成することができるので、従来のサイクロンよりも小型かつ簡素な構造を実現することができ、取り扱いやメンテナンスも容易である。
【００１０】
ここで、前記捕捉部材が、当該捕捉部材を通過する気体の流動方向に対して傾斜した面を有することが望ましい。このような構成とすれば、捕捉部材により、流動気体から分離された固形物を捕捉部材の傾斜した面に沿った方向へ移動させることが可能となるため、分離効率を高めることができる。
【００１１】
また、前記捕捉部材として、スリット部材、多孔部材若しくは網状部材を用いることが望ましい。このような構成とすれば、汎用部材を用いて捕捉部材を形成することができるので、装置製作の簡易化を図ることができる。
【考案の効果】
【００１２】
本考案により、比較的小型かつ簡素な構造であって、取り扱いやメンテナンスが容易であり、優れた分離機能を発揮する分離装置を提供することができる。
【図面の簡単な説明】
【００１３】
【図１】本考案の実施形態である分離装置を模式的に示す側面図である。
【図２】図１に示す分離装置を組み込んだ給餌装置を模式的に示す側面図である。
【図３】図２に示す給餌装置の正面図である。
【図４】図２に示す給餌装置の平面図である。
【図５】（ａ）は図２に示す給餌装置を構成する撹拌部材を示す正面図であり、（ｂ）は前記撹拌部材の側面図である。
【考案を実施するための形態】
【００１４】
以下、図面に基づいて、本考案の実施形態について説明する。図１に示すように、本実施形態の分離装置１０は、円管状の搬送経路１１内を一定方向に流動する気体（空気流１２ａ）に伴って搬送される固形物１３を気体１２ａから分離する機能を有し、搬送経路１１内に配置された通気性を有する捕捉部材１４と、捕捉部材１４の上流側に搬送経路１１から分岐して設けられた捕集経路１５と、捕捉部材１４の下流側に搬送経路１１と連通して設けられた排気経路１６と、を備えている。
【００１５】
本実施形態では、鉛直方向に配管された搬送経路１１の下流側が９０度湾曲して水平状態となった領域に捕捉部材１４が配置され、捕捉部材１４の上流側から鉛直下方に向かって捕集経路１５が延設され、捕集経路１５は下流側に向かって徐々に拡径した部分を有している。また、排気経路１６は、捕捉部材１４の下流側に向かって徐々に縮径した部分を有している。捕集経路１５の上流側には、搬送経路１１から鉛直下方へ分岐した副排気経路１７が設けられている。
【００１６】
捕捉部材１４は、約６ｍｍ程度のピッチで多数のスリット（図示せず）が平行に開設された平板状のスリット部材で形成されている。捕捉部材１４は、図１中の矢線１８で示す平面方向にスライドさせることにより着脱可能である。
【００１７】
このような構成とすれば、図１に示すように、搬送経路１１内を流動してきた空気流１２ａと固形物１３との混合体は湾曲部１１ａに沿って移動した後、捕捉部材１４に当接することにより、捕捉部材１４を通過する空気流１２ｂと、捕捉部材１４を通過できない固形物１３と、に分離される。捕捉部材１４を通過した空気流１２ｂは排気経路１６から下流側へ排出され、捕捉部材１４を通過できない固形物１３は捕集経路１５を経由して下流側へ移動するので、優れた分離機能を発揮する。
【００１８】
一方、空気流１２ａと固形物１３との混合体が排気経路１１の湾曲部１１ａを通過するとき、空気より比重の大きな固形物１３は、遠心力の作用により、湾曲部１１ａの外周側内壁に沿って流動するので、湾曲部１１ａの内周側に分岐した副排気経路１７には固形物１３を含まない空気流１２ｃが流入する。
【００１９】
このように分離装置１０は、通気性を有する捕捉部材１４を搬送経路１１内に配置し、捕捉部材１４の上流側に搬送経路１１から分岐した捕集経路１５を設け、捕捉部材１４の下流側に搬送経路１１と連通した排気経路１６を設けるだけで構成することができるので、従来のサイクロンよりも小型かつ簡素な構造を実現することができ、取り扱いやメンテナンスも容易である。
【００２０】
分離装置１０において、捕捉部材１４を、当該捕捉部材１４を通過する空気流１２ｂに対して傾斜して配置したことにより、捕捉部材１４の作用で空気流１２ａから分離された固形物１３を捕捉部材１４の上流側の傾斜面に沿って下方へ効率的に移動させることができるため、分離効率を高めることができる。
【００２１】
また、捕捉部材１４は汎用部材であるスリット部材で形成しているので、装置製作の簡易化を図ることができる。なお、捕捉部材１４は、スリット部材に限定しないので、多数の小孔を有する多孔部材や網状部材などを使用することもできる。
【００２２】
次に、図２〜図５に基づいて、図１に示す分離装置１０を組み込んで形成された給餌装置２０について説明する。図２〜図４に示すように、給餌装置２０は、フレーム２２によって支持された撹拌機２１と、この撹拌機２１上に取り付けられた分離装置１０と、を備えている。撹拌機２１は、分離装置１０から投入された養魚用餌である固形物１３を収容する撹拌槽２３と、撹拌槽２３内に水平に配置された撹拌部材２４と、撹拌部材２４を回転駆動するため撹拌槽２３の両側面に配置されたモータ２５などを備えている。撹拌槽２３は、撹拌部材２４の軸方向の中心に位置する隔壁３２によって二つの撹拌領域２３ｘ，２３ｙに区画されている。また、分離装置１０は、互いに独立した二本の搬送経路１１ｘ，１１ｙを有し、副排気経路１７の下流側は撹拌領域２３ｘ，２３ｙ内へ連通している。
【００２３】
図５に示すように、撹拌部材２４は、モータ２５によって回転する軸部２４ａと、軸部２４ａに放射状に取り付けられた複数の棒状撹拌具２４ｂと、を備えている。モータ２５で回転駆動された軸部２４ａとともに複数の棒状撹拌具２４ｂが撹拌領域２３ｘ，２３ｙ内で回転することによって、撹拌領域２３ｘ，２３ｙ内へ投入された固形物１３が撹拌、混合される。
【００２４】
図３，図４に示すように、撹拌槽２３内で撹拌された固形物１３を排出するための排出経路２６が撹拌槽２３の隔壁３２付近に設けられている。排出経路２６の下方には、排出経路２６に向かって空気流を供給するための送気管２７と、排出経路２６から排出された固形物１３を所定箇所へ送り出すための二本の送出管２８ａ，２８ｂと、がそれぞれ撹拌部材２４の軸部２４ａと平行に接続されている。
【００２５】
モータ２５を稼働させ、送気管２７から排出経路２６に向かって空気流を供給しながら、分離装置１０を稼働させると、搬送経路１１ｘ，１１ｙを経由して空気流１２ａとともに送給された固形物１３は、分離装置１０にて空気流１２ａから分離され、捕集経路１５内を落下して、撹拌槽２３内へ投入される。この場合、捕集経路１５と撹拌槽２３との境界付近に設けられた切替器２９の操作レバー２９ａを操作することにより、捕集経路１５内を落下する固形物１３を二つの撹拌領域２３ｘ，２３ｙの何れかへ投入するかの切替を行うことができる。
【００２６】
撹拌領域２３ｘ，２３ｙの何れかへ投入された固形物１３は、撹拌領域２３ｘ，２３ｙ内で回転する撹拌部材２４によって撹拌、混合された後、送気管２７から供給される空気流で生じる吸引作用により、排出経路２６から送出管２８ａ，２８ｂへ流入し、下流側の所定箇所へ送り出される。
【００２７】
この場合、撹拌槽２３と排出経路２６との境界付近に設けられた開閉ハンドル３０ｘ，３０ｙを操作することにより、撹拌領域２３ｘ，２３ｙから排出される固形物１３の分量を調節することができる。また、開閉ハンドル３０ｘ，３０ｙの下流側に設けられた開閉レバー３３ｘ，３３ｙを操作することにより、撹拌領域２３ｘ，２３ｙから排出経路２６への固形物１３の排出、停止を行うことができる。さらに、開閉レバー３３ｘ，３３ｙの下流側に設けられた切替レバー３１を操作することにより、撹拌領域２３ｘ，２３ｙから排出された固形物１３を送出管２８ａ，２８ｂの何れに流入させるかの切替を行うことができる。
【００２８】
以上のように、給餌装置２０を使用すれば、搬送経路１１ｘ，１１ｙを経由して空気流１２ａとともに搬送される養魚用餌である固形物１３は、分離装置１０において空気流１２ａから効率良く分離されるとともに、撹拌機２０において固形物１３を撹拌、混合した後、送出管２８ａ，２８ｂを経由して所定箇所へ供給することができるので、給餌作業を効率化することができる。また、給紙装置２０が分離装置１０を備えたことにより、サイクロンが不要となるので、設置スペースの削減、装置の小型化を実現することができ、取り扱いやメンテナンスも容易となる。
【産業上の利用可能性】
【００２９】
本考案の分離装置は、魚介類の養殖産業の分野において広く利用することができる。
【符号の説明】
【００３０】
１０  分離装置
１１，１１ｘ，１１ｙ  搬送経路
１１ａ  湾曲部
１２ａ，１２ｂ，１２ｃ  空気流
１３  固形物
１４  捕捉部材
１５  捕集経路
１６  排気経路
１７  副排気経路
１８  矢線
２０  給餌装置
２１  撹拌機
２２  フレーム
２３  撹拌槽
２３ｘ，２３ｙ  撹拌領域
２４  撹拌部材
２４ａ  軸部
２４ｂ  撹拌具
２５  モータ
２６  排出経路
２７  送気管
２８ａ，２８ｂ  送出管
２９  切替器
２９ａ  操作レバー
３０ｘ，３０ｙ  開閉ハンドル
３１  切替レバー
３２  隔壁
３３ｘ，３３ｙ  開閉レバー
【図１】
0003168570.tif 000003
【図２】
0003168570.tif 000004
【図３】
0003168570.tif 000005
【図４】
0003168570.tif 000006
【図５】
0003168570.tif 000007